(57)【要約】  この発明に係るディスク装置は、ディスク再生系統機構を内蔵する装置筐体内に昇降駆動可能に配置されて再生用のディスクをストックするトレイを備えたディスク装置において、前記トレイから前記ディスクの記録面が浮き上がるように当該ディスクの周縁部を支持するディスク支持部を前記トレイに設けたものである。
2007083451.tif 000002
【特許請求の範囲】
【請求項１】
ディスク再生系統機構を内蔵する装置筐体内に昇降駆動可能に配置されて再生用のディスクをストックするトレイを備えたディスク装置において、前記トレイから前記ディスクの記録面が浮き上がるように当該ディスクの周縁部を支持するディスク支持部を前記トレイに設けたことを特徴とするディスク装置。
【請求項２】
ディスク支持部は、半円弧状の外周縁部を有する半抜き形状のトレイの両端部に設けられてディスクの外周縁部ほぼ対称位置を支持する上向きのディスク支持凸部と、前記トレイの外周中間部に設けられて前記ディスクの外周縁部における前記ディスク支持凸部間の中間縁部を嵌合保持させるディスク片持ち嵌合部とからなっていることを特徴とする請求項１記載のディスク装置。
【請求項３】
ディスク支持凸部は、ディスクの径方向ほぼ対称位置の外周下縁部を当接支承するテーパー面からなっていることを特徴とする請求項２記載のディスク装置。
【請求項４】
トレイ上にディスク片持ち嵌合部とディスク支持凸部とで支持されたディスクは、前記ディスク片持ち嵌合部側が最も低くなって当該ディスク片持ち嵌合部の反対側が上向き傾斜状態に保持されるようになっていることを特徴とする請求項２記載のディスク装置。
【請求項５】
トレイは金属材で形成され、この金属トレイの両端部上面に樹脂製のディスク支持凸部が設けられていることを特徴とする請求項２記載のディスク装置。
【請求項６】
ディスク支持部は、トレイに形成されてディスクの外周縁部のほぼ半円周を当接支承させるテーパー面からなっていることを特徴とする請求項１記載のディスク装置。
【請求項７】
ディスク支持部は、ディスク外周縁部のほぼ半円周を当接支承させるようにトレイの一部が下方へ突出する凸部を形成したことを特徴とする請求項１記載のディスク装置。
【発明の詳細な説明】
【技術分野】
【０００１】
この発明は、装置筐体内部で再生用のディスクをストックするトレイを備えたディスク装置に関するものである。
【背景技術】
【０００２】
従来のこの種のディスク装置として、ディスク再生系統機構を内蔵する装置筐体内に複数のディスクを個々にストックする板金製のトレイを昇降駆動可能に配置し、前記装置筐体内に挿入されたディスクを前記トレイ上に保持させ、そのトレイをディスク再生位置と再生退避位置とに駆動する構成としたものは既に知られている。【０００３】
なお、上記先行技術は当業者一般に知られた技術であって、文献公知発明に係るものではない。【０００４】
しかしながら、ディスク収納ケースとして、合成樹脂製のケース本体と前記ケース本体の環状保持部内周面に凸部とばね片を突設し、前記凸部とケース本体との隙間にディスクの外周縁部を挿入して保持固定する構成が文献公知発明として知られている（特許文献１）。【０００５】
【特許文献１】特開２００３−１１８７８７号公報
【０００６】
従来のディスク装置は以上のように構成されているので、板金製のトレイ上にディスクを面接触状態に保持させると、特に車載用のディスク装置の場合、振動等によって前記ディスクの記録面に前記トレイとの擦過傷が生じるという課題があった。【０００７】
この発明は上記のような課題を解決するためになされたもので、トレイ上に保持されたディスクの記録面が前記トレイとの擦過によって傷付くのを防止することができる信頼性の高いディスク装置を得ることを目的とする。
【発明の開示】
【０００８】
この発明に係るディスク装置は、ディスク再生系統機構を内蔵する装置筐体内に昇降駆動可能に配置されて再生用のディスクをストックするトレイを備えたディスク装置において、前記トレイから前記ディスクの記録面が浮き上がるように当該ディスクの周縁部を支持するディスク支持部を前記トレイに設けたものである。
【０００９】
この発明によれば、トレイに設けたディスク支持部によって、ディスクの記録面が前記トレイから浮き上がるように当該ディスクの周縁部を支持するように構成したので、前記ディスクの記録面に前記トレイとの擦過傷が生じるようなことがなくなり、ディスクストックタイプのディスク装置の信頼性を向上させることができるという効果がある。
【図面の簡単な説明】
【００１０】
【図１】この発明の実施の形態１によるディスク装置を示す天板除去状態の概略的な斜視図である。
【図２】図１のディスクストック状態を示す概略的な平面図である。
【図３】図２のディスク再生時の状態を示す動作説明図である。
【図４】図４（Ａ）はトレイをディスクとの関連で示す概略的な平面図、図４（Ｂ）は図４（Ａ）のＡ−Ａ線断面図、図４（Ｃ）は図４（Ａ）のＢ−Ｂ線断面図である。
【図５】この発明の実施の形態２によるディスク装置が備えるトレイをディスクとの関連で示す概略的な側面図である。
【図６】この発明の実施の形態３によるディスク装置を示す説明図であり、図６（Ａ）はトレイをディスクとの関連で示す概略的な平面図、図６（Ｂ）は図６（Ａ）のＣ−Ｃ線断面図、図６（Ｃ）は図６（Ａ）のＤ−Ｄ線断面図である。
【図７】この発明の実施の形態４によるディスク装置を示す説明図であり、図７（Ａ）はトレイをディスクとの関連で示す概略的な平面図、図７（Ｂ）は図７（Ａ）のＥ−Ｅ線断面図、図７（Ｃ）は図７（Ａ）のＦ−Ｆ線断面図である。
【発明を実施するための最良の形態】
【００１１】
以下、この発明をより詳細に説明するために、この発明を実施するための最良の形態について、添付の図面に従って説明する。
実施の形態１．
図１はこの発明の実施の形態１によるディスク装置を示す天板除去状態の概略的な斜視図、図２は図１のディスクストック状態を示す概略的な平面図、図３は図２のディスク再生時の状態を示す動作説明図、図４（Ａ）はトレイをディスクとの関連で示す概略的な平面図、図４（Ｂ）は図４（Ａ）のＡ−Ａ線断面図、図４（Ｃ）は図４（Ａ）のＢ−Ｂ線断面図である。
図１に示すディスク装置は、前面にディスク挿排口１ａを有する装置筐体１と、この装置筐体１内に配置されてディスク再生位置と再生退避位置とにスイング駆動されるディスク再生系統機構２と、前記装置筐体１内に昇降駆動可能に配置された上下複数段のトレイ６とを備えている。【００１２】
前記ディスク再生系統機構２は、長手方向一端部が水平回動可能に軸支されて図示しない駆動手段でディスク再生位置と再生退避位置とにスイング駆動されるディスク再生用レバー３と、このディスク再生用レバー３の先端側に搭載されて回転駆動されるディスク載置用のターンテーブル４と、前記ディスク再生用レバー３上に搭載されて前記ターンテーブル４に接近乃至離間する方向にネジ送り駆動されるピックアップ５と備えている。【００１３】
前記各トレイ６は、前記装置筐体１のディスク挿排口１ａから順次挿入された再生用のディスク７をストックするもので、それらのトレイ６には、当該トレイ６から前記ディスク７の記録面が浮き上がるように当該ディスク７の周縁部を支持するディスク支持部８，９，１０が設けられている。さらに詳しく説明すると、前記各トレイ６は、半円弧状の外周縁部を有する半抜き形状の金属材（例えばアルミ等）からなっており、図示例では平面ほぼ三日月形状の金属材からなっている。この実施の形態１において、前記トレイ６に設けられたディスク支持部８，９，１０は、図４に示すように、平面ほぼ三日月形状のトレイ６の両端部に設けられて前記ディスク７の外周縁部ほぼ対称位置を支持する上向きのディスク支持凸部８，９と、前記トレイ６の外周中間部に設けられて前記ディスクの外周縁部における前記ディスク支持凸部８，９間の中間縁部を嵌合保持させるディスク片持ち嵌合部１０とからなっている。【００１４】
ここで、前記ディスク支持凸部８，９は、前述のように平面ほぼ三日月形状の金属材からなるトレイ６の両端部上面に設けられたアウトサート樹脂材からなり、それらのディスク支持凸部８，９には、図４（Ｂ）に示すように前記ディスク７の径方向ほぼ対称位置の外周下縁部を当接支承するテーパー面８ａ，９ａが形成されている。また、前記ディスク支持凸部８，９およびディスク片持ち嵌合部１０のそれぞれは、平面ほぼ三日月形状をなすトレイ６の金属板面上に設けられ、前記ディスク片持ち嵌合部１０に外周縁部の一部が嵌合されたディスク７を、当該ディスク７における前記ディスク片持ち嵌合部１０の反対側が上向き傾斜状態となるように前記ディスク支持凸部８，９のテーパー面８ａ，９ａで保持するようになっている。【００１５】
次に動作について説明する。
図１および図２に示すように、ディスク再生系統機構２が退避位置にある状態でディスクチェンジが行われ、ディスク再生に際しては、再生すべきデスク７を保持しているトレイ６が所定の高さ位置まで駆動された後、ディスク再生系統機構２が図３に示すディスク再生位置までスイング駆動され、次いで前記トレイ６が下降駆動されることによって前記ディスク再生系統機構２上のターンテーブル４上にディスク７が受け渡される。この状態で前記ターンテーブル４が回転駆動されると同時にピックアップ５が駆動されることによって、前記ディスク７が再生される。【００１６】
以上説明した実施の形態１によれば、平面ほぼ三日月形状に形成された金属製のトレイ６の両端部に設けられてディスク７の外周縁部ほぼ対象位置を当接支承させる２箇所のディスク支持凸部８，９と、前記トレイ６の外周部における前記ディスク支持凸部８，９の中間部に設けられて前記ディスク７の外周縁部の一部を嵌合させるディスク片持ち嵌合部１０とによって、前記トレイ６から前記ディスク７の記録面が浮き上がるように当該ディスク７を保持するように構成したので、振動等の外力を受け易い車載用のディスク装置であっても前記トレイ６上にストックされたディスク７の記録面が前記トレイ６との擦過によって傷付くのを防止することができるという効果がある。【００１７】
また、前記２箇所のディスク支持凸部８，９と１箇所のディスク片持ち嵌合部１０とによって前記ディスク７を、前記ディスク片持ち嵌合部１０側が低くなって当該ディスク片持ち嵌合部１０の反対側が高くなる傾斜状態に保持するように構成したので、平面ほぼ三日月形状など所謂半抜き形状のトレイ６であっても、当該トレイ６上に保持されたディスク７が垂れ下がるような危惧がないという効果がある。【００１８】
ここで、ディスクストックタイプの従来のディスク装置において、ディスクの傷付き防止対策として、金属製トレイの上面にディスク支持用の環状凸部や数個の半抜き凸部を設けたものもあるが、前記環状凸部を設けられないトレイ、すなわち、この発明のトレイ６のように平面ほぼ三日月形状などの半抜き形状に形成されたトレイの場合、当該トレイ上にディスク７を安定性よく保持させることができないが、この発明の実施の形態１では、半抜き形状のトレイ６であっても、前記ディスク支持凸部８，９とディスク片持ち嵌合部１０とによってディスク７を安定性よく保持させることができるという効果がある。また、前記半抜き凸部を設けた金属製トレイの場合、平面精度が悪くなるが、この発明の実施の形態１では、半抜き形状のトレイ６の両端部にアウトサートの樹脂からなるディスク支持凸部８，９を設けるように構成したので、金属製トレイの平面精度も向上するという効果がある。【００１９】
実施の形態２．
図５はこの発明の実施の形態２によるディスク装置のトレイをディスクとの関連で示す概略的な側面図であり、図４と同一または相当部分には同一符号を付して重複説明は省略する。
前記実施の形態１では、平面ほぼ三日月形状に形成された金属製トレイ６の両端部にアウトサートの樹脂からなる上向きのディスク支持凸部８，９を、かつ前記金属製トレイ６の中間外周部にディスク片持ち嵌合部１０を設けたが、この実施の形態２では、前記金属製トレイ６の中間外周部に設けたディスク片持ち嵌合部１０と共に半円弧状の外周縁部全体に上向きのディスク支持凸部１１を設け、当該ディスク支持凸部１１の内周部にディスク７の外周縁部における略半円弧領域の上周縁部を線接触状態に当接支承させるテーパー面を形成したものである。【００２０】
このように構成した実施の形態２によれば、平面ほぼ三日月形状に形成された金属製トレイ６上にディスク７をいっそう安定性よく保持させることができると共に、前記実施の形態１の場合と同様に前記ディスク７の記録面が前記トレイ６との擦過により傷付くのを防止することができるという効果がある。【００２１】
実施の形態３．
図６はこの発明の実施の形態３によるディスク装置のトレイをディスクとの関連で示す概略的な平面図であり、図４と同一または相当部分には同一符号を付して重複説明は省略する。
上述した実施の形態１では、図４（Ｃ）に示すようにディスクがトレイに傾斜して収納されるよう説明したが、図６（Ｃ）に示すようにディスクがトレイの収納面とほぼ平行に収納するようトレイを形成してもよい。
このように構成された実施の形態３によれば、実施の形態１の場合と同様の効果が得られるものである。【００２２】
実施の形態４．
図７はこの発明の実施の形態４によるディスク装置のトレイをディスクとの関連で示す概略的な平面図であり、図４と同一または相当部分には同一符号を付して重複説明は省略する。
本実施の形態４では、金属製トレイ６の中間外周部に設けたディスク片持ち嵌合部とともに図７（Ｂ）に示すように金属製トレイ自体を下に凸形状とし、ディスク外周縁部の下面と金属製トレイの略半円弧領域の上外周縁部を線接触状態に当接支承させるように形成したものである。
このように構成した実施の形態４によれば、実施の形態２の場合と同様の効果が得られるものである。
【産業上の利用可能性】
【００２３】
以上のように、この発明に係る、トレイ上に保持されたディスクの記録面が前記トレイとの擦過によって傷付くのを防止することができる信頼性の高いディスク装置は、主に振動の影響を受けやすい環境で利用される車載用ディスク再生装置などに用いるのに適している。
【図１】
2007083451.tif 000003
【図２】
2007083451.tif 000004
【図３】
2007083451.tif 000005
【図４】
2007083451.tif 000006
【図５】
2007083451.tif 000007
【図６】
2007083451.tif 000008
【図７】
2007083451.tif 000009
【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
ディスク再生系統機構を内蔵する装置筐体内に昇降駆動可能に配置されて再生用のディスクをストックするトレイを備えたディスク装置において、前記トレイから前記ディスクの記録面が浮き上がるように当該ディスクの周縁部を支持するディスク支持部を前記トレイに設け、
前記ディスク支持部は、半円弧状の外周縁部を有する半抜き形状のトレイの両端部に設けられてディスクの外周縁部ほぼ対称位置を支持する上向きのディスク支持凸部と、前記トレイの外周中間部に設けられて前記ディスクの外周縁部における前記ディスク支持凸部間の中間縁部を嵌合保持させるディスク片持ち嵌合部とからなっていることを特徴とするディスク装置。
【請求項２】
ディスク支持凸部は、ディスクの径方向ほぼ対称位置の外周下縁部を当接支承するテーパー面からなっていることを特徴とする請求項１記載のディスク装置。
【請求項３】
トレイ上にディスク片持ち嵌合部とディスク支持凸部とで支持されたディスクは、前記ディスク片持ち嵌合部側が最も低くなって当該ディスク片持ち嵌合部の反対側が上向き傾斜状態に保持されるようになっていることを特徴とする請求項１記載のディスク装置。
【請求項４】
トレイは金属材で形成され、この金属トレイの両端部上面に樹脂製のディスク支持凸部が設けられていることを特徴とする請求項１記載のディスク装置。
【請求項５】
ディスク再生系統機構を内蔵する装置筐体内に昇降駆動可能に配置されて再生用のディスクをストックするトレイを備えたディスク装置において、前記トレイから前記ディスクの記録面が浮き上がるように当該ディスクの周縁部を支持するディスク支持部を前記トレイに設け、
前記ディスク支持部は、ディスク外周縁部のほぼ半円周を当接支承させるようにトレイの一部が下方へ突出する凸部を形成したことを特徴とするディスク装置。
【手続補正２】
【補正対象書類名】明細書
【補正対象項目名】全文
【補正方法】変更
【補正の内容】
【発明の詳細な説明】
【技術分野】
【０００１】
この発明は、装置筐体内部で再生用のディスクをストックするトレイを備えたディスク装置に関するものである。
【背景技術】
【０００２】
従来のこの種のディスク装置として、ディスク再生系統機構を内蔵する装置筐体内に複数のディスクを個々にストックする板金製のトレイを昇降駆動可能に配置し、前記装置筐体内に挿入されたディスクを前記トレイ上に保持させ、そのトレイをディスク再生位置と再生退避位置とに駆動する構成としたものは既に知られている。
【０００３】
なお、上記先行技術は当業者一般に知られた技術であって、文献公知発明に係るものではない。
【発明の開示】
【発明が解決しようとする課題】
【０００４】
従来のディスク装置は以上のように構成されているので、板金製のトレイ上にディスクを面接触状態に保持させると、特に車載用のディスク装置の場合、振動等によって前記ディスクの記録面に前記トレイとの擦過傷が生じるという課題があった。
【０００５】
この発明は上記のような課題を解決するためになされたもので、トレイ上に保持されたディスクの記録面が前記トレイとの擦過によって傷付くのを防止することができる信頼性の高いディスク装置を得ることを目的とする。
【課題を解決するための手段】
【０００６】
この発明に係るディスク装置は、ディスク再生系統機構を内蔵する装置筐体内に昇降駆動可能に配置されて再生用のディスクをストックするトレイを備えたディスク装置において、トレイから前記ディスクの記録面が浮き上がるように当該ディスクの周縁部を支持するディスク支持部をトレイに設け、ディスク支持部は、半円弧状の外周縁部を有する半抜き形状のトレイの両端部に設けられてディスクの外周縁部ほぼ対称位置を支持する上向きのディスク支持凸部と、トレイの外周中間部に設けられてディスクの外周縁部におけるディスク支持凸部間の中間縁部を嵌合保持させるディスク片持ち嵌合部とからなるようにしたものである。
【発明の効果】
【０００７】
この発明によれば、ディスク支持凸部とディスク片持ち嵌合部とからなるディスク支持部をトレイに設け、当該トレイからディスクの記録面が前記トレイから浮き上がるように当該ディスクの周縁部を支持するように構成したので、前記ディスクの記録面に前記トレイとの擦過傷が生じるようなことがなくなり、ディスクストックタイプのディスク装置の信頼性を向上させることができるという効果がある。
【発明を実施するための最良の形態】
【０００８】
実施の形態１．
図１はこの発明の実施の形態１によるディスク装置を示す天板除去状態の概略的な斜視図、図２は図１のディスクストック状態を示す概略的な平面図、図３は図２のディスク再生時の状態を示す動作説明図、図４（Ａ）はトレイをディスクとの関連で示す概略的な平面図、図４（Ｂ）は図４（Ａ）のＡ−Ａ線断面図、図４（Ｃ）は図４（Ａ）のＢ−Ｂ線断面図である。
図１に示すディスク装置は、前面にディスク挿排口１ａを有する装置筐体１と、この装置筐体１内に配置されてディスク再生位置と再生退避位置とにスイング駆動されるディスク再生系統機構２と、前記装置筐体１内に昇降駆動可能に配置された上下複数段のトレイ６とを備えている。
【０００９】
前記ディスク再生系統機構２は、長手方向一端部が水平回動可能に軸支されて図示しない駆動手段でディスク再生位置と再生退避位置とにスイング駆動されるディスク再生用レバー３と、このディスク再生用レバー３の先端側に搭載されて回転駆動されるディスク載置用のターンテーブル４と、前記ディスク再生用レバー３上に搭載されて前記ターンテーブル４に接近乃至離間する方向にネジ送り駆動されるピックアップ５と備えている。
【００１０】
前記各トレイ６は、前記装置筐体１のディスク挿排口１ａから順次挿入された再生用のディスク７をストックするもので、それらのトレイ６には、当該トレイ６から前記ディスク７の記録面が浮き上がるように当該ディスク７の周縁部を支持するディスク支持部８，９，１０が設けられている。さらに詳しく説明すると、前記各トレイ６は、半円弧状の外周縁部を有する半抜き形状の金属材（例えばアルミ等）からなっており、図示例では平面ほぼ三日月形状の金属材からなっている。この実施の形態１において、前記トレイ６に設けられたディスク支持部８，９，１０は、図４に示すように、平面ほぼ三日月形状のトレイ６の両端部に設けられて前記ディスク７の外周縁部ほぼ対称位置を支持する上向きのディスク支持凸部８，９と、前記トレイ６の外周中間部に設けられて前記ディスクの外周縁部における前記ディスク支持凸部８，９間の中間縁部を嵌合保持させるディスク片持ち嵌合部１０とからなっている。
【００１１】
ここで、前記ディスク支持凸部８，９は、前述のように平面ほぼ三日月形状の金属材からなるトレイ６の両端部上面に設けられたアウトサート樹脂材からなり、それらのディスク支持凸部８，９には、図４（Ｂ）に示すように前記ディスク７の径方向ほぼ対称位置の外周下縁部を当接支承するテーパー面８ａ，９ａが形成されている。また、前記ディスク支持凸部８，９およびディスク片持ち嵌合部１０のそれぞれは、平面ほぼ三日月形状をなすトレイ６の金属板面上に設けられ、前記ディスク片持ち嵌合部１０に外周縁部の一部が嵌合されたディスク７を、当該ディスク７における前記ディスク片持ち嵌合部１０の反対側が上向き傾斜状態となるように前記ディスク支持凸部８，９のテーパー面８ａ，９ａで保持するようになっている。
【００１２】
次に動作について説明する。
図１および図２に示すように、ディスク再生系統機構２が退避位置にある状態でディスクチェンジが行われ、ディスク再生に際しては、再生すべきデスク７を保持しているトレイ６が所定の高さ位置まで駆動された後、ディスク再生系統機構２が図３に示すディスク再生位置までスイング駆動され、次いで前記トレイ６が下降駆動されることによって前記ディスク再生系統機構２上のターンテーブル４上にディスク７が受け渡される。この状態で前記ターンテーブル４が回転駆動されると同時にピックアップ５が駆動されることによって、前記ディスク７が再生される。
【００１３】
以上説明した実施の形態１によれば、平面ほぼ三日月形状に形成された金属製のトレイ６の両端部に設けられてディスク７の外周縁部ほぼ対象位置を当接支承させる２箇所のディスク支持凸部８，９と、前記トレイ６の外周部における前記ディスク支持凸部８，９の中間部に設けられて前記ディスク７の外周縁部の一部を嵌合させるディスク片持ち嵌合部１０とによって、前記トレイ６から前記ディスク７の記録面が浮き上がるように当該ディスク７を保持するように構成したので、振動等の外力を受け易い車載用のディスク装置であっても前記トレイ６上にストックされたディスク７の記録面が前記トレイ６との擦過によって傷付くのを防止することができるという効果がある。
【００１４】
また、前記２箇所のディスク支持凸部８，９と１箇所のディスク片持ち嵌合部１０とによって前記ディスク７を、前記ディスク片持ち嵌合部１０側が低くなって当該ディスク片持ち嵌合部１０の反対側が高くなる傾斜状態に保持するように構成したので、平面ほぼ三日月形状など所謂半抜き形状のトレイ６であっても、当該トレイ６上に保持されたディスク７が垂れ下がるような危惧がないという効果がある。
【００１５】
ここで、ディスクストックタイプの従来のディスク装置において、ディスクの傷付き防止対策として、金属製トレイの上面にディスク支持用の環状凸部や数個の半抜き凸部を設けたものもあるが、前記環状凸部を設けられないトレイ、すなわち、この発明のトレイ６のように平面ほぼ三日月形状などの半抜き形状に形成されたトレイの場合、当該トレイ上にディスク７を安定性よく保持させることができないが、この発明の実施の形態１では、半抜き形状のトレイ６であっても、前記ディスク支持凸部８，９とディスク片持ち嵌合部１０とによってディスク７を安定性よく保持させることができるという効果がある。また、前記半抜き凸部を設けた金属製トレイの場合、平面精度が悪くなるが、この発明の実施の形態１では、半抜き形状のトレイ６の両端部にアウトサートの樹脂からなるディスク支持凸部８，９を設けるように構成したので、金属製トレイの平面精度も向上するという効果がある。
【００１６】
実施の形態２．
図５はこの発明の実施の形態２によるディスク装置のトレイをディスクとの関連で示す概略的な側面図であり、図４と同一または相当部分には同一符号を付して重複説明は省略する。
前記実施の形態１では、平面ほぼ三日月形状に形成された金属製トレイ６の両端部にアウトサートの樹脂からなる上向きのディスク支持凸部８，９を、かつ前記金属製トレイ６の中間外周部にディスク片持ち嵌合部１０を設けたが、この実施の形態２では、前記金属製トレイ６の中間外周部に設けたディスク片持ち嵌合部１０と共に半円弧状の外周縁部全体に上向きのディスク支持凸部１１を設け、当該ディスク支持凸部１１の内周部にディスク７の外周縁部における略半円弧領域の上周縁部を線接触状態に当接支承させるテーパー面を形成したものである。
【００１７】
このように構成した実施の形態２によれば、平面ほぼ三日月形状に形成された金属製トレイ６上にディスク７をいっそう安定性よく保持させることができると共に、前記実施の形態１の場合と同様に前記ディスク７の記録面が前記トレイ６との擦過により傷付くのを防止することができるという効果がある。
【００１８】
実施の形態３．
図６はこの発明の実施の形態３によるディスク装置のトレイをディスクとの関連で示す概略的な平面図であり、図４と同一または相当部分には同一符号を付して重複説明は省略する。
上述した実施の形態１では、図４（Ｃ）に示すようにディスクがトレイに傾斜して収納されるよう説明したが、図６（Ｃ）に示すようにディスクがトレイの収納面とほぼ平行に収納するようトレイを形成してもよい。
このように構成された実施の形態３によれば、実施の形態１の場合と同様の効果が得られるものである。
【００１９】
実施の形態４．
図７はこの発明の実施の形態４によるディスク装置のトレイをディスクとの関連で示す概略的な平面図であり、図４と同一または相当部分には同一符号を付して重複説明は省略する。
本実施の形態４では、金属製トレイ６の中間外周部に設けたディスク片持ち嵌合部とともに図７（Ｂ）に示すように金属製トレイ自体を下に凸形状とし、ディスク外周縁部の下面と金属製トレイの略半円弧領域の上外周縁部を線接触状態に当接支承させるように形成したものである。
このように構成した実施の形態４によれば、実施の形態２の場合と同様の効果が得られるものである。
【産業上の利用可能性】
【００２０】
以上のように、この発明に係る、トレイ上に保持されたディスクの記録面が前記トレイとの擦過によって傷付くのを防止することができる信頼性の高いディスク装置は、主に振動の影響を受けやすい環境で利用される車載用ディスク再生装置などに用いるのに適している。
【図面の簡単な説明】
【００２１】
【図１】この発明の実施の形態１によるディスク装置を示す天板除去状態の概略的な斜視図である。
【図２】図１のディスクストック状態を示す概略的な平面図である。
【図３】図２のディスク再生時の状態を示す動作説明図である。
【図４】図４（Ａ）はトレイをディスクとの関連で示す概略的な平面図、図４（Ｂ）は図４（Ａ）のＡ−Ａ線断面図、図４（Ｃ）は図４（Ａ）のＢ−Ｂ線断面図である。
【図５】この発明の実施の形態２によるディスク装置が備えるトレイをディスクとの関連で示す概略的な側面図である。
【符号の説明】
【００２２】
１  装置筐体、１ａ  ディスク挿排口、２  ディスク再生系統機構、３  ディスク再生用レバー、４  ターンテーブル、５  ピックアップ、６  トレイ、７  ディスク、８，９  ディスク支持部（ディスク支持凸部）、  ８ａ，９ａ  テーパー面、１０  ディスク支持部（ディスク片持ち嵌合部）、１１  ディスク支持部（ディスク支持凸部）。
【国際調査報告】
2007083451.tif 000010
2007083451.tif 000011
2007083451.tif 000012
2007083451.tif 000013